(57)【要約】【課題】階調反転が起きない黒色点近傍変換ができ、ユーザの意図によって黒色点近傍変換の変換条件を変更できる画像処理装置を提供する。【解決手段】第一の画像機器の第一の色再現域における色信号を第二の画像機器の第二の色再現域における色信号に変換する色変換手段と、第一の色再現域における第一の黒色点の明度と第二の画像機器の色再現域における第二の黒色点の明度を検出し、第一の黒色点と第二の黒色点との大小関係を比較する黒色点比較手段と、大小関係において第一の黒色点が小さい場合、第二の黒色点の明度に等しいまたは大きい領域に、第一の黒色点の近傍領域を圧縮する色域圧縮手段を備えた黒色点近傍変換手段１６と、利用者が所望する出力画像によって色域圧縮手段における第一の黒色点の近傍領域の大きさを変更する黒色点近傍変換条件決定手段１７と、を有する。【選択図】図２
2015154341.tif 000002
【特許請求の範囲】
【請求項１】
第一の画像機器にて使用される第一画像データを第二の画像機器にて使用される第二画像データに変換する画像処理装置であって、
前記第一の画像機器の第一の色再現域における色信号を前記第二の画像機器の第二の色再現域における色信号に変換する色変換手段と、
前記第一の色再現域における第一の黒色点の明度と前記第二の画像機器の色再現域における第二の黒色点の明度を検出し、前記第一の黒色点と前記第二の黒色点との大小関係を比較する黒色点比較手段と、
前記大小関係において前記第一の黒色点が小さい場合、前記第二の黒色点の明度に等しいまたは大きい領域に、前記第一の黒色点の近傍領域を圧縮する色域圧縮手段を備えた黒色点近傍変換手段と、
利用者が所望する出力画像によって前記色域圧縮手段における前記第一の黒色点の近傍領域の大きさを変更する黒色点近傍変換条件決定手段と、
を有することを特徴とする画像処理装置。
【請求項２】
コンピュータを介して送信される描画コマンド情報を取得する描画コマンド情報取得手段と、
前記描画コマンド情報取得手段によって得られた描画コマンドを記憶する描画コマンド情報記憶手段と、を有し、
前記黒色点近傍変換条件決定手段は、前記描画コマンド情報記憶手段の記憶情報より前記黒色点近傍変換手段における変換条件を変更することを特徴とする請求項１記載の画像処理装置。
【請求項３】
前記黒色点近傍変換条件決定手段は、前記第一の色再現域の所定色相における最外郭色信号のみを検出する最外郭色信号検出手段と、
前記最外郭色信号検出手段において検出された色信号の明度と第二の黒色点の明度を比較する黒色点明度比較手段と、
前記黒色点明度比較手段において、前記第二の黒色点より高明度で、前記第二の黒色点から最も明度差の少ない色信号を検出する黒色点同明度色信号検出手段と、
前記黒色点同明度色信号検出手段において検出された色信号と前記第一の黒色点との色差を検出する黒色点色差検出手段と、を有し、
前記描画コマンド情報記憶手段の記憶情報が忠実な色再現モードであった場合、前記黒色点色差検出手段を全色相で行い、最も色差が大きかったものを忠実な色再現モードにおける黒色点近傍領域とすることを特徴とする請求項１または２記載の画像処理装置。
【請求項４】
前記黒色点近傍変換条件決定手段は、前記第一の色再現域の所定色相における最外郭色信号のみを検出する最外郭色信号検出手段と、
前記最外郭色信号検出手段において検出された色信号の中で、最大彩度となる色信号と、前記最大彩度となる色信号よりも大きい明度となる色信号を検出する最外郭高明度色信号検出手段と、
前記最外郭高明度色信号検出手段において検出された色信号の中で、前記第一の黒色点との色差がもっとも小さい色信号との色差を検出する黒色点色差検出手段と、
前記描画コマンド情報記憶手段の記憶情報が階調性重視モードであった場合、前記黒色点色差検出手段を全色相で行い、最も色差が小さかったものを階調性重視モードにおける黒色点近傍領域とすることを特徴とする請求項１または２記載の画像処理装置。
【発明の詳細な説明】
【技術分野】
【０００１】
本発明は、外部から画像情報を入力することによって画像を形成する画像処理装置に関する。
【背景技術】
【０００２】
従来から、コンピュータ上のカラー画像データをカラープリンタなどのカラー出力デバイスに出力する際に、画像データの色合わせ処理を行うカラーマッチングシステム（ＣＭＳ）が知られている。
【０００３】
一般的に、電子写真やインクジェットプリンタの色再現範囲は、ディスプレイの色再現範囲に比べてきわめて狭いためディスプレイ上の色を忠実に再現することは不可能である。そこで、従来から出力デバイスが再現できない色を再現可能な色にマッピングする技術（以下、ガマット圧縮技術と称する。）が知られており、多くの方式が提案されている。
【０００４】
ガマット圧縮処理のなかでも、明度方向のレンジを合わせる処理があるが、通常、ガマット内部の色も含めて圧縮される。この場合、変換前後で階調再現が良く保たれるが、忠実な色再現からずれるという問題がある。これに対して、色が変化する領域を最小限に抑え、忠実な色再現をできる限り保つことを目的としてシャドウ部に限定した色空間圧縮を行う黒色点近傍変換処理（以下、黒点補正と称す。）なる技術が既に知られている。
【０００５】
特許文献１には、ガマット圧縮で明度レンジを合わせる処理において、忠実な色再現をできる限り保つ目的で、シャドウ部に限定した黒色点近傍変換手段について開示されている。この黒色点近傍変換手段は、従来行われていた明度レンジ圧縮処理に比べ圧縮範囲を小さく限定することができ、色が変化する領域が最小限に抑えられることから、忠実な色再現を保つことができるとしている。
【０００６】
特許文献２には、ガマット圧縮で明度レンジを合わせる処理において、シャドウ部以外の階調性を損なわないことを目的として、明度レンジを合わせる処理を行った後、黒点よりも低明度に補正された領域を黒点よりも高明度にシフトする黒点補正処理について開示されている。
【発明の概要】
【発明が解決しようとする課題】
【０００７】
しかし、今までの黒点補正や特許文献１に開示された技術では、（１）階調反転が起きる可能性があり、（２）画像のシャドウ部分においてユーザが階調性を重視したいにもかかわらず、忠実な色再現を保つような補正が行われる可能性があり、（３）逆に、ユーザが忠実な色再現を重視しようといていたにもかかわらず、階調性を重視するような補正が行われる可能性があるという問題があった。
【０００８】
また、特許文献２に開示された技術では、（２）ユーザが階調性を重視したい場合、忠実な色再現を保つような補正が行われ、（３）逆に、ユーザが忠実な色再現を重視したい場合、階調性を重視した補正が行われてしまう可能性があるという問題は解消できていない。
【０００９】
本発明は、前記課題を解決するためのものであり、その目的とするところは、階調反転が起きない黒色点近傍変換ができ、ユーザの意図によって黒色点近傍変換の変換条件を変更できる画像処理装置を提供することである。
【課題を解決するための手段】
【００１０】
かかる目的を達成するために、本発明は、以下の特徴を有する。
【００１１】
本発明に係る画像処理装置は、第一の画像機器にて使用される第一画像データを第二の画像機器にて使用される第二画像データに変換する画像処理装置であって、前記第一の画像機器の第一の色再現域における色信号を前記第二の画像機器の第二の色再現域における色信号に変換する色変換手段と、前記第一の色再現域における第一の黒色点の明度と前記第二の画像機器の色再現域における第二の黒色点の明度を検出し、前記第一の黒色点と前記第二の黒色点との大小関係を比較する黒色点比較手段と、前記大小関係において前記第一の黒色点が小さい場合、前記第二の黒色点の明度に等しいまたは大きい領域に、前記第一の黒色点の近傍領域を圧縮する色域圧縮手段を備えた黒色点近傍変換手段と、利用者が所望する出力画像によって前記色域圧縮手段における前記第一の黒色点の近傍領域の大きさを変更する黒色点近傍変換条件決定手段と、を有することを特徴とする。
【発明の効果】
【００１２】
本発明によれば、階調反転が起きない黒色点近傍変換ができ、ユーザの意図によって黒色点近傍変換の変換条件を変更できる。
【図面の簡単な説明】
【００１３】
【図１】本実施形態に係る画像処理システムの全体構成を示すブロック図である。
【図２】本実施形態に係る色変換処理の全体構成を示すブロック図である。
【図３】本実施形態に係るメモリマップ補間を示す斜視図である。
【図４】本実施形態に係る黒色点近傍色変換手段について説明する図である。
【図５】第１の実施形態に係る黒色点近傍変換条件決定手段を適用した場合の黒点補正について説明する図である。
【図６】第１の実施形態に係る黒色点近傍変換条件決定手段の変換条件決定のフローチャートである。
【図７】第２の実施形態に係る階調性を重視した場合の黒色点近傍変換について説明する図である。
【図８】第２の実施形態に係る黒色点近傍変換条件決定手段の変換条件決定のフローチャートである。
【図９】従来の黒点補正における問題点について説明する図である。
【図１０】従来の黒点補正における問題点について説明する図である。
【図１１】従来の黒点補正における問題点について説明する図である。
【発明を実施するための形態】
【００１４】
以下、本実施形態について図面により詳細に説明する。
【００１５】
図１は、本実施形態に係る画像処理システムの全体構成を示すブロック図である。画像処理システムは、画像入力装置１と画像記録装置２と操作用入力装置３とコンピュータ４と画像処理装置５と画像出力装置６とを有している。
【００１６】
画像入力装置１は、画像データを入力するための装置であって、例えば、デジタルカメラ、スキャナなどの画像入力デバイスを用いることができる。画像記録装置２は、画像データが記録されている装置であって、例えば、コンピュータ４とは別のコンピュータやネットワークサーバ、あるいはＵＳＢ、ポータブルＨＤＤなどを用いることができる。
【００１７】
操作用入力装置３はユーザがコンピュータに情報を入力するための装置であって、例えば、キーボードやマウスなどを用いることができる。コンピュータ４は、各種のアプリケーション、プリンタドライバなどのソフトウェアを実装可能となっている。
【００１８】
画像出力装置６は、画像データをプリントアウトするための出力装置であって、例えば、プリンタやＦＡＸといった画像形成装置を用いることができる。また、ディスプレイなどの画像表示を行う出力デバイスであってもよい。
【００１９】
コンピュータ４は画像入力装置１によって読み込まれた画像データあるいは画像記録装置に記録されている画像データを読み込み、画像データを画像処理装置５に送出する。また、操作用入力装置から入力された情報を描画コマンドとして読み込み、描画コマンドを画像処理装置５に送出する。さらに、画像出力装置から出力特性を読み込み、出力特性情報として画像処理装置５に送出する。
【００２０】
画像処理装置５はコンピュータ４から取得した画像データを描画コマンド、出力特性情報を基に画像処理を行い、画像出力装置６に送出する。
【００２１】
図２は、本実施形態に係る色変換処理の全体構成を示すブロック図である。入力画像データは、カメラやスキャナなどの画像入力デバイスに依存するＲＧＢ信号あるいはＣＭＹＫ原稿のＣＭＹＫ信号である。出力画像データは、出力装置に依存する出力デバイスＲＧＢ信号あるいはＣＭＹＫ信号である。
【００２２】
入力画像データ色変換手段１１は入力されたＲＧＢ信号あるいはＣＭＹＫ信号をデバイスに依存しない色信号に変換する。ここでは、均等色空間であるＣＩＥＬＡＢ空間の色信号Ｌ＊ａ＊ｂ＊信号を用いる。この変換にはＰｈｏｔｏｓｈｏｐ等のアプリケーションや、各種プリンタのＣＭＳ上でプロファイル変換を行い、実行する。
【００２３】
入力ガマット取得手段１２は、入力画像データに含まれるメタデータやプロファイル変換に用いられたプロファイルから入力信号の色空間を取得し、入力ガマット情報として色変換手段１５へ渡す。
【００２４】
出力ガマット取得手段１３は、画像出力装置から得られる出力特性情報から出力ガマットを示すデータを取得する。ガマットを示すデータは、色相（Ｈ＊）と明度（Ｌ＊）ごとに対応する最高彩度値（彩度：Ｃ＊）のテーブルとして定義される。
【００２５】
Ｌ＊ａ＊ｂ＊空間での色相Ｈ＊、彩度Ｃ＊は以下の式で計算される。
色相：Ｈ＊＝ａｒｃｔａｎ（ｂ＊／ａ＊）×１８０／π彩度：Ｃ＊＝（ａ＊）2＋（ｂ＊）2
例えば、色相Ｈ＊については、０°≦Ｈ＊＜３６０°の範囲で１°ごと、明度Ｌ＊については０≦Ｌ＊≦１００の範囲で０．１ごとの最高彩度値をテーブルとすればよい。
【００２６】
描画コマンド情報取得手段１４は、コンピュータ４から得られる描画コマンド情報から、色変換にかかわるコマンドを読み込み、色変換手段１５へ渡す。読み込まれるコマンドは、カラーマッチング方法（階調性重視、彩度重視、忠実な色再現重視など）やユーザの好みによって選択できる階調性重視の度合いなどである。
【００２７】
色変換手段１５は、黒色点近傍変換手段１６と黒色点近傍変換条件決定手段１７と記憶手段１８とマッピング手段１９とを有し、入力ガマット内の色信号（Ｌ＊ａ＊ｂ＊信号）を入力ガマット内の色信号（Ｌ＊ａ＊ｂ＊信号）に変換する。
【００２８】
記憶手段１８は、入力ガマット取得手段１２、出力ガマット取得手段１３、描画コマンド情報取得手段１４から得られた入力ガマット、出力ガマット、描画コマンド情報のデータを記憶する。
【００２９】
黒色点近傍変換条件決定手段１７は、本実施形態の核となる部分であり、記憶手段１８の入力ガマット、出力ガマット、描画コマンド情報のデータを用いて、黒色点近傍変換手段１６で実行される黒色点近傍変換処理における変換条件を決定する。
【００３０】
黒色点近傍変換手段１６は、入力ガマットの黒色点を、出力ガマットの黒色点に変換する処理を行い、また、入力ガマットの黒色点近傍領域に属する色信号に対しても変換処理を行う。
【００３１】
マッピング手段１９は、黒色点近傍変換手段１６により変換された色信号を、出力ガマット内にマッピングする処理を行う。
出力デバイス色変換手段２０は、マッピング手段１９により出力ガマット内にマッピングされた色信号（Ｌ＊ａ＊ｂ）を出力デバイスに依存する色信号に変換する。ここでの色変換は、メモリマップ補間を使用して実行する。
【００３２】
図３は、本実施形態に係るメモリマップ補間を示す斜視図である。このメモリマップ補間は、Ｌ＊ａ＊ｂ＊空間を入力色空間とした場合、Ｌ＊ａ＊ｂ＊空間を同種類の立体図形（ここでは立方体）に分割する。
【００３３】
入力の座標（Ｌ＊ａ＊ｂ＊）における出力値Ｐを求めるには、この入力座標を含む立体を選択し、その選択された立体の頂点上にあらかじめ設定した出力値と入力座標を含む立体の中における位置（各頂点からの距離）に基づいて、補間演算を行う。
【００３４】
出力値Ｐは出力デバイスＲＧＢ（ｏｒ ＣＭＹＫ）信号それぞれに相当し、各立体頂点のＬ＊ａ＊ｂ＊信号に対応する出力デバイスＲＧＢ（ｏｒ ＣＭＹＫ）値は、前もって出力デバイスＲＧＢ（ｏｒ ＣＭＹＫ）を振ったパッチを測色してＬ＊ａ＊ｂ＊を求め、その結果を用いて設定しておく。出力デバイスＲＧＢ（ｏｒ ＣＭＹＫ）信号に変換することにより、出力デバイスで出力することが可能となる。
【００３５】
図４は、本実施形態に係る黒色点近傍変換手段１６について説明する図である。黒色点近傍変換手段１６は、入力ガマットの黒色点を、出力ガマットの黒色点に変換する処理である。この変換による入力ガマットの変化について明度と彩度の二次元表示で示している。変換前の入力ガマットが点線、変換後の入力ガマットを実線で示している。
【００３６】
入力ガマットの黒色点近傍領域は、入力ガマットの黒色点を中心とする球によって規定しており、その内部に属する色信号についてのみ変換を施し、入力ガマットの黒色点を出力ガマットの黒色点に変換する。
【００３７】
具体的な変換式としては、式（１）にあるような式を用いる。
【数１】
2015154341.tif 000003
【００３８】
ただし、変換前の色信号を（Ｌ＊0，ａ＊0，ｂ＊0）、変換後の色信号を（Ｌ＊1，ａ＊1，ｂ＊1）とし、入力ガマットの黒色点をＢｐ０（Ｌ＊Bp0，ａ＊Bp0，ｂ＊Bp0）、出力ガマットの黒色点をＢｐ１（Ｌ＊Bp1，ａ＊Bp1，ｂ＊Bp1）とする。
また、ΔＥmaxは黒色点近傍領域を規定する球の半径であり、変換前の色信号の黒色点からの色差ΔＥがΔＥmax以上の場合には、色信号は変換されない。
【００３９】
式１に従えば、変換前の色信号が入力ガマットの黒色点Ｂｐ０（Ｌ＊Bp0，ａ＊Bp0，ｂ＊Bp0）である場合、すなわちΔＥ＝０の場合は、変換後の色信号は、出力ガマットの黒色点Ｂｐ１（Ｌ＊Bp1，ａ＊Bp1，ｂ＊Bp1）となる。
【００４０】
また、変換前の色信号において黒色点との色差ΔＥ≧ΔＥｍａｘである場合には、（Ｌ＊1，ａ＊1，ｂ＊1）＝（Ｌ＊0，ａ＊0，ｂ＊0）となり、変換前と変換後で色信号が維持される。
【００４１】
図９は、従来の黒点補正における階調反転が起きる可能性がある場合の問題点について説明する図である。
出力ガマットの黒点と入力ガマットの黒点の距離に対して、補正領域が狭い場合、入力ガマットの変換後のガマットがえぐれた形状になってしまう。変換前には入力ガマットの黒点よりも明度が高かった点が、変換後、黒点の明度よりも低くなってしまうことで、階調反転が起きている。
【００４２】
この後、マッピング手段１９によって彩度方向の圧縮処理が行われるが、そのときに、このような歪なガマット形状になって、階調反転がそのまま維持される。また、滑らかな階調性を維持できずにマッピングが行われてしまう可能性があるため、黒点補正によるガマット形状がえぐれてしまうのは避けなければならない。
従来では、入出力ガマットの関係を考慮して、補正領域を決定することはしていなかったので、この問題が起きることがあった。
【００４３】
図１０は、従来の黒点補正におけるユーザが忠実な色再現を重視しようといていたにもかかわらず、階調性を重視するような補正が行われる可能性がある場合の問題点について説明する図である。
ユーザが忠実な色再現を重視した場合、入力ガマットと出力ガマットの重なっている色域は色変換（色圧縮）を行わず、そのままの色で出力することが望ましい。
【００４４】
図９とは逆に、入出力ガマットの黒点の距離が近く、それに比べて補正領域が大きい場合、黒点補正による出力ガマット内の色変換する領域が広くなることから、忠実な色再現に向かない変換が行われてしまう。忠実な色再現を重視した場合は、補正領域を入出力ガマットの関係によって、小さくするべきである。
【００４５】
図１１は、従来の黒点補正におけるユーザが階調性を重視しようといていたにもかかわらず、忠実な色再現を重視するような補正が行われる可能性がある場合の問題点について説明する図である。
【００４６】
ユーザが階調性を重視した場合、階調つぶれを防ぐためにも、できる限り補正領域を広くすることで、入力ガマットから出力ガマットまでの間の圧縮先を出力ガマットの広い範囲に間引くことが望ましい。
【００４７】
入力ガマットの黒点と出力ガマットの黒点との間の距離が大きいわりに、補正範囲が狭い場合、圧縮先領域が狭くなり、圧縮先領域内で階調差が現れにくくなっている。階調性を重視した補正を行いたい場合、さらに補正領域を広げるべきである。
【００４８】
（第１の実施形態）
図５は、第１の実施形態に係る黒色点近傍変換条件決定手段１７を適用した場合の黒点補正について説明する図である。図５（ａ）は、忠実な色再現を重視した場合の黒点補正領域を示し、図５（ｂ）は階調性を重視した場合の黒点補正領域を示している。
【００４９】
図５（ａ）では、補正後に階調反転が起きず、かつ補正領域が最小となるように補正が行われている。これが最も出力ガマット内の色変換が少なくて済むので、忠実な色再現を重視した補正を行うことができる。
図５（ｂ）では、図５（ａ）における補正領域をさらに大きくすることで、できる限り階調性を維持できるように補正する様子を示している。
【００５０】
図６は、第１の実施形態に係る黒色点近傍変換条件決定手段１７の変換条件決定のフローチャートである。黒点補正時に階調反転が起きないこと、ユーザが忠実な色再現を重視した場合には忠実な色再現に最適な黒点補正を行うこと、ユーザが階調性を重視した場合には階調性を重視した黒点補正を行うことを実現するために、最適な黒点補正時の補正領域を決定するフローである。
Ｓ１〜Ｓ６までに、階調反転が起きない補正領域を決定するフローとなっており、それ以降は、ユーザの意図によって補正半径を決めるフローとなっている。
【００５１】
初期化処理が行われ（ステップＳ１）、処理が開始される。ある色相 i 、ある明度 ｊ における入力ガマット最外郭上の点Ｐi,jと出力ガマットの黒点ＰBP1の明度を比較する。ここでは、ＰBP1より低い明度となるＰi,jを色相 i を一定にして明度 j をインクリメントすることで探している。Ｐi,jよりＰBP1の明度の方が低い場合（ステップＳ２、Ｎｏ）、明度 j をインクリメントする。
【００５２】
Ｐi,jよりＰBP1の明度の方が高い場合（ステップＳ２、Ｙｅｓ）、その点の一つ前に比較した点Ｐi,j-1とＰBP1との色差（Ｌａｂ色空間上における距離）を求め、その値をΔＥとする（ステップＳ３）。
【００５３】
次に、ΔＥmaxとΔＥで大小を比較し、ΔＥの方が大きければ（ステップＳ４、Ｎｏ）、ΔＥmaxをΔＥに更新する（ステップＳ５）。全色相においてＳ２〜Ｓ４（Ｓ５）の処理を行ったか判定し、全色相でΔＥを算出していない場合（ステップＳ６、Ｎｏ）、色相iをインクリメントし、Ｓ２〜Ｓ４（Ｓ５）を実行する。全色相でΔＥを算出した場合（ステップＳ６、Ｙｅｓ）、ΔＥmaxが階調反転の起きない最小の補正領域となる。
【００５４】
次に、ユーザが忠実な色再現を重視しているか判定する（ステップＳ７）。ユーザが忠実な色再現を重視している場合（ステップＳ７、Ｙｅｓ）、Ｓ６で決定したΔＥmaxがそのまま補正領域として決定される（ステップＳ９）。ユーザが忠実な色再現を重視していない場合（ステップＳ７、Ｎｏ）、ユーザは階調性を重視した変換を求めているものとし、ΔＥmax＋αが補正領域として決定する（ステップＳ８）。αには実験値を用いる。
【００５５】
（第２の実施形態）
第１の実施形態との違いは、黒色点近傍変換条件決定手段１７においてユーザが階調性重視を選択した場合の補正領域の決め方である。第１の実施形態では、実験値を用いて補正領域を決めていたが、第２の実施形態ではアルゴリズムで規定する。
【００５６】
図７は、第２の実施形態に係る階調性を重視した場合の黒色点近傍変換について説明する図である。補正領域は、イメージ的に説明すると、補正領域を徐々に広げていったときに、最初に最高彩度点以上の明度における最外郭ガマットにぶつかったときの半径を持つ球状の領域である。
【００５７】
補正領域を広げれば広げるほど、階調性はよくなるが、ある一定を超えると、変換後のガマットが、高明度領域に拡張される現象が起きる。本来ガマットを圧縮するはずの変換手段であるのに、ガマットが拡張されてしまい、逆にハイライトの階調性が悪くなる可能性がある。
【００５８】
そこで、ガマット拡張が起きず、階調性が最もよくなる補正領域として、上述のような方法で補正領域を決定した。この方法は図８で詳細に説明する。
図８は、第２の実施形態に係る黒色点近傍変換条件決定手段１７の変換条件決定のフローチャートである。黒点補正時の最適な補正領域を決定する。
【００５９】
第１の実施形態におけるフローとの違いは、初期化処理をした直後に、ユーザの意図による条件分岐を入れていることである。また、階調性を重視する場合の補正領域の決め方が、実験値からではなくアルゴリズムで規定したことである。
【００６０】
Ｓ１３〜Ｓ１７までが忠実な色再現を重視した場合の補正領域を決定するフローとなっており、Ｓ１９〜Ｓ２４までが階調性重視の場合の補正領域を決定するフローとなっている。Ｓ１３〜Ｓ１７までは、第１の実施形態におけるフローと同一なので説明は省略する。
【００６１】
初期化処理が行われ（ステップＳ１１）、処理が開始されると、記憶手段１８から取得できる描画コマンド情報のデータから忠実な色再現重視モードで補正半径を決定するか階調性重視モードで決定するかを判定する（ステップＳ１２）。記憶手段１８から取得される描画コマンド情報のデータは文字列データであってもよいし、数値データで対応付けてもよい。
【００６２】
忠実な色再現を重視しないで、階調性を重視する場合（ステップＳ１２、Ｎｏ）、入力ガマット最外郭上の最高明度点Ｑ0,0と出力ガマットの黒点ＰBP1との色差を算出し、ΔＥminに代入する（ステップＳ１９）。ある色相 i 、ある明度 ｊ における入力ガマット最外郭上の点Ｑi,jと出力ガマットの黒点ＰBP1との色差を算出し、ΔＥに代入する（ステップＳ２０）。
【００６３】
ΔＥminとΔＥを比較し（ステップＳ２１）、ΔＥが小さい場合は（ステップＳ２１、Ｎｏ）、ΔＥminを更新し（ステップＳ２２）、ΔＥが大きい場合は（ステップＳ２１、Ｙｅｓ）、何もしない。Ｑi,jが最高彩度点の次の点に到達したか否かを判定し（ステップＳ２３）、到達していない場合（ステップＳ２３、Ｎｏ）、明度ｊをインクリメントしＳ２０へ戻り、到達した場合は（ステップＳ２３、Ｙｅｓ）、何もしない。
【００６４】
全色相においてＳ２０〜Ｓ２３の処理を行ったか判定し、全色相でΔＥを算出していない場合（ステップＳ２４、Ｎｏ）、色相iをインクリメントし、Ｓ２０〜Ｓ２３を実行する。全色相でΔＥを算出した場合（ステップＳ２４、Ｙｅｓ）、ΔＥminが階調性を重視した場合の最適な補正領域となる（ステップＳ２５）。
【００６５】
本実施形態によれば、階調反転が起きない黒色点近傍変換ができ、ユーザの意図によって黒色点近傍変換の変換条件を変更できる。
【００６６】
ガマット圧縮先の黒点よりも低明度の領域が黒点補正の補正領域に必ず含まるようにして補正を行うので、ＣＭＳ上で黒点補正を行った際に、階調反転が起きないようにすることができる。
【００６７】
また、ユーザが階調性を重視した場合には、黒点補正の補正領域を大きくして補正を行うので、ユーザが階調性を重視した場合には階調性が良い画像を形成することができる。
さらに、ユーザが忠実な色再現を重視した場合には、黒点補正によって階調反転が起きない最小の補正領域に設定して補正を行うので、ユーザが忠実な色再現を重視した場合には忠実な色再現が保たれている画像を形成することができる。
【００６８】
すなわち、ガマット圧縮における黒点補正の処理に際して、黒点補正処理時に階調反転が起きず、ユーザの意図（階調性重視か忠実な色再現重視か）に応じた補正領域が自動で選択される。
【００６９】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００７０】
１    画像入力装置
２    画像記録装置
３    操作用入力装置
４    コンピュータ
５    画像処理装置
６    画像出力装置
１１    入力画像データ色変換手段
１２    入力ガマット取得手段
１３    出力ガマット取得手段
１４    描画コマンド情報取得手段
１５    色変換手段
１６    黒色点近傍変換手段
１７    黒色点近傍変換条件決定手段
１８    記憶手段
１９    マッピング手段
２０    出力デバイス色変換手段
【先行技術文献】
【特許文献】
【００７１】
【特許文献１】特許第４８１０４７１号公報
【特許文献２】特許第４９８３６５８号公報
【図１】
2015154341.tif 000004
【図２】
2015154341.tif 000005
【図３】
2015154341.tif 000006
【図４】
2015154341.tif 000007
【図５】
2015154341.tif 000008
【図６】
2015154341.tif 000009
【図７】
2015154341.tif 000010
【図８】
2015154341.tif 000011
【図９】
2015154341.tif 000012
【図１０】
2015154341.tif 000013
【図１１】
2015154341.tif 000014